(57)【特許請求の範囲】
【請求項１】
ターミナルへの通信チャンネルを確立するための第１通信ネットワーク層と、インターネットプロトコルをベースとしそして上記ターミナルへのコールを確立するための第２通信ネットワーク層とを備えた２層通信ネットワークにおいてコールに対する接続の少なくとも一部分を解除するための方法であって、
上記第１及び第２通信ネットワーク層の一方において上記ターミナルに関連した上記接続の少なくとも上記一部分を解除すべきであると判断し、
上記判断を、上記判断がなされた上記一方の通信ネットワーク層から、上記第１及び第２の通信ネットワーク層間のインターフェイスを経て、他方の通信ネットワーク層へ転送し、
上記第１通信ネットワーク層により上記ターミナルのインアクティブな状態を監視する段階を更に備え、そして、インアクティブな状態を検出した場合に、解除に関する上記判断が、上記第１通信ネットワーク層により行われ、そして上記第１通信ネットワーク層から上記第２通信ネットワーク層へ転送される方法。
【請求項２】
上記第１通信ネットワーク層は、ＧＰＲＳ／ＵＭＴＳシステムである請求項１に記載の方法。
【請求項３】
上記第２通信ネットワーク層は、ＩＰマルチメディアサブシステムである請求項１に記載の方法。
【請求項４】
上記ターミナルは、移動ステーション（ＭＳ）或いはユーザ装置（ＵＥ）である請求項１に記載の方法。
【請求項５】
上記第１及び第２の通信ネットワーク層間のインターフェイスは、ネットワークの機能的エンティティによって構成される請求項１に記載の方法。
【請求項６】
上記ネットワークの機能的エンティティは、ポリシー制御ファンクション（ＰＣＦ）である請求項５に記載の方法。
【請求項７】
上記接続は、セッションである請求項１に記載の方法。
【請求項８】
セッションにおいて通信する上記ターミナルへの確立されたセッションを解除し、そして
上記セッションに使用される通信チャンネルを変更する、
という段階を更に備えた請求項７に記載の方法。
【請求項９】
上記変更は、デアクチベーションである請求項８に記載の方法。
【請求項１０】
上記変更は、上記接続を定義する１組のパラメータのうち少なくとも１つのパラメータに作用する請求項８に記載の方法。
【請求項１１】
上記少なくとも１つのパラメータは、サービスクオリティパラメータ「保証されたビットレート」であり、そしてこの保証されたビットレートは、ゼロにセットされるように変更される請求項１０に記載の方法。
【請求項１２】
上記変更は、上記通信チャンネルに対する課金に作用する請求項８に記載の方法。
【請求項１３】
上記通信チャンネルは、ＰＤＰコンテクストを使用することにより表わされる請求項８に記載の方法。
【請求項１４】
上記通信チャンネルを解除又は変更し、そして
上記通信チャンネルを経て搬送される上記セッションを変更する、
という段階を更に備えた請求項７に記載の方法。
【請求項１５】
上記変更は、解除である請求項１４に記載の方法。
【請求項１６】
上記変更は、上記セッションの課金に作用する請求項１４に記載の方法。
【請求項１７】
上記通信チャンネルは、ＰＤＰコンテクストを使用することにより表わされる請求項１４に記載の方法。
【請求項１８】
上記ターミナルにより、上記２層通信ネットワークに、上記ターミナルを上記セッションから解除するよう要求する段階を更に備え、
解除に関する上記判断は、上記第２通信ネットワーク層により上記ターミナルからの上記解除要求に基づいて行われ、そして上記第２通信ネットワーク層から上記第１通信ネットワーク層へ転送される請求項７に記載の方法。
【請求項１９】
上記インアクティブな状態は、無線接続の切断により表わされる請求項１乃至１８のいずれかに記載の方法。
【請求項２０】
コール中に通信するターミナル(UE)への通信チャンネルを確立するための第１通信ネットワーク層と、インターネットプロトコルをベースとしそして上記ターミナルへのコールを確立するための第２通信ネットワーク層とを備えた２層通信ネットワークとの接続を介してコール中に通信するターミナル(UE)より成る通信システムにおいて、請求項１ないし１９のいずれかに記載の接続を解除する方法の段階を実行するよう構成された通信システム。
【請求項２１】
ターミナルへの通信チャンネルを確立するための第１通信ネットワーク層と、インターネットプロトコルをベースとしそして上記ターミナルへのコールを確立するための第２通信ネットワーク層とを備えた２層通信ネットワークの通信ネットワーク層におけるネットワーク要素において、
上記ターミナルに関連したコールに対する接続の少なくとも一部分を解除すべきであると判断するための判断手段と、そして
上記判断についての指示を別の通信ネットワーク層のネットワーク要素へ転送するための転送手段と、
上記ターミナルのインアクティブな状態を監視するための監視手段を更に備え、
上記判断手段は、上記監視手段に応答してインアクティブな状態を検出し、そして、インアクティブな状態を検出した場合に、解除に関する上記判断が、上記第１通信ネットワーク層により行われ、そして上記第１通信ネットワーク層から上記第２通信ネットワーク層へ転送されるネットワーク要素。
【請求項２２】
上記判断についての指示は、上記判断の識別である請求項２１に記載のネットワーク要素。
【請求項２３】
上記転送手段は、同じネットワーク層における別のネットワーク要素へ上記指示を転送し、別のネットワーク層のネットワーク要素に向って直接的に、又は少なくとも１つのさらに別のネットワーク要素を経て転送されるようにするように構成されている請求項２１に記載のネットワーク要素。
【請求項２４】
該ネットワーク要素は、ＧＰＲＳ／ＵＭＴＳシステムである上記第１通信ネットワーク層のネットワーク要素である請求項２１に記載のネットワーク要素。
【請求項２５】
該ネットワーク要素は、無線ネットワークコントローラ（ＲＮＣ）である請求項２４に記載のネットワーク要素。
【請求項２６】
該ネットワーク要素は、ＩＰマルチメディアサブシステムである上記第２通信ネットワーク層のネットワーク要素である請求項２１に記載のネットワーク要素。
【請求項２７】
該ネットワーク要素は、ポリシー制御ファンクション（ＰＣＦ）である請求項２６に記載のネットワーク要素。
【請求項２８】
該ネットワーク要素は、コール状態制御ファンクション（ＣＳＣＦ）である請求項２６に記載のネットワーク要素。
【請求項２９】
ターミナルへの通信チャンネルを確立するための第１通信ネットワーク層と、インターネットプロトコルをベースとしそして上記ターミナルへのコールを確立するための第２通信ネットワーク層とを備えた２層通信ネットワークの通信ネットワーク層におけるネットワーク要素において、
上記ターミナルに関連したコールに対する接続の少なくとも一部分を解除すべきであるとの判断についての指示を別の通信ネットワーク層のネットワーク要素から受信するための受信手段を備え、
上記第１通信ネットワーク層により上記ターミナルのインアクティブな状態を検出した場合に、解除に関する上記判断が、上記第１通信ネットワーク層により行われ、そして上記第１通信ネットワーク層から上記第２通信ネットワーク層へ転送されるネットワーク要素。
【請求項３０】
上記判断についの指示は、該判断の識別である請求項２９に記載のネットワーク要素。
【請求項３１】
上記受信手段は、同じネットワーク層における別のネットワーク要素から間接的に上記指示を受信するように構成されている請求項２９に記載のネットワーク要素。
【請求項３２】
該ネットワーク要素は、ＧＰＲＳ／ＵＭＴＳシステムである上記第１通信ネットワーク層のネットワーク要素である請求項２９に記載のネットワーク要素。
【請求項３３】
該ネットワーク要素は、ゲートウエイＧＰＲＳサポートノード（ＧＧＳＮ）である請求項３２に記載のネットワーク要素。
【請求項３４】
該ネットワーク要素は、ＩＰマルチメディアサブシステムである上記第２通信ネットワーク層のネットワーク要素である請求項２９に記載のネットワーク要素。
【請求項３５】
該ネットワーク要素は、ポリシー制御ファンクション（ＰＣＦ）である請求項３４に記載のネットワーク要素。
【請求項３６】
該ネットワーク要素は、コール状態制御ファンクション（ＣＳＣＦ）である請求項３４に記載のネットワーク要素。
【請求項３７】
上記接続は、セッションであり、
上記セッションにおいて通信する上記ターミナルへの確立されたセッションを解除するための解除手段と、そして
上記セッションに使用される通信チャンネルを変更するための変更手段と、
を更に備える請求項２９に記載のネットワーク要素。
【請求項３８】
上記変更手段は、デアクチベーション手段である請求項３７に記載のネットワーク要素。
【請求項３９】
上記変更手段は、上記接続を定義する１組のパラメータのうち少なくとも１つのパラメータに作用するように構成されている請求項３７に記載のネットワーク要素。
【請求項４０】
上記少なくとも１つのパラメータは、サービスクオリティパラメータ「保証されたビットレート」であり、そしてこの保証されたビットレートは、ゼロにセットされるように変更される請求項３９に記載のネットワーク要素。
【請求項４１】
上記変更手段は、上記通信チャンネルに対する課金に作用するように構成されている請求項３７に記載のネットワーク要素。
【請求項４２】
上記接続は、セッションであり、
上記通信チャンネルを解除又は変更するための解除手段と、そして
上記通信チャンネルを経て搬送される上記セッションを変更するための変更手段と、
を更に備える請求項２９に記載のネットワーク要素。
【請求項４３】
上記変更手段は、上記セッションに対する課金に作用するように構成されている請求項４２に記載のネットワーク要素。
【請求項４４】
上記接続は、セッションであり、
上記セッションから上記ターミナルを解除するための該ターミナルから上記２層通信ネットワークへの要求を受信するための受信手段を備えており、
上記判断手段は、上記ターミナルからの上記解除要求に基づいて上記解除に関する判断をなすように構成されている請求項２６に記載のネットワーク要素。
【請求項４５】
上記インアクティブな状態は、無線接続の切断により表わされる請求項２５に記載の方法。
【発明の詳細な説明】
【０００１】
【技術分野】
本発明は、２層通信ネットワークにおいて接続を解除するための方法に係る。
【０００２】
【背景技術】
以下の説明を通じて、２層通信ネットワークとは、コール中に通信しそしてそのコールを送信するターミナルへの通信チャンネルを確立するための第１通信ネットワーク層と、上記コールを確立するための第２通信ネットワーク層とを含む通信ネットワークを意味するものとする。又、この説明で使用されるアプリケーション層とは、１組のセキュリティメカニズム、ファイル、データ及びプロトコル（送信層プロトコルを除く）を意味するものとし、コールとは、２人又は多数のユーザ間での論理的関連性を意味するものとし、一方、通信チャンネルとは、少なくとも２つのエンドポイント間（例えば、移動ターミナルとサポートノードとの間）の送信層における論理的接続を意味するものとする。もちろん、本発明は、音声コールに限定されるものではなく、コールという表現は、セッションのサブセットも表わすものとする。
【０００３】
ターミナルは、通信チャンネルを経てデータを送信及び／又は受信するように構成されたいかなる通信エンドポイントでもよい。特に、ターミナルは、ワイヤレスターミナル、又はワイヤを経て通信するターミナルである。ターミナルは、例えば、移動ステーションＭＳとも称される無線ターミナル、或いはユーザ装置ＵＥ（第３世代（３Ｇ）ターミナルとしても知られているＵＭＴＳ規格に合致するターミナル）、又はサーバー装置である。
【０００４】
図１は、このような２層通信ネットワークに対する基本的なネットワークアーキテクチャーの一例である。図示された例は、ＵＭＴＳ／ＧＰＲＳネットワークを、コール中に通信しそしてそのコールを送信するターミナル（ＵＥ）への通信チャンネルを確立するための第１通信ネットワーク層とし、そしてインターネットプロトコルベースのＩＰネットワークを、コールを確立するための第２通信ネットワーク層（例えば、インターネットプロトコル電話ＩＰＴ）とするものである。しかしながら、他の規格に基づいて動作するネットワークが選択されてもよく、本発明の適用性がそれによって実質的に影響されることはない。
【０００５】
ユーザ装置ＵＥは、ターミナルとして、通信ネットワークと通信し及び／又はそれを経て通信する。これは、ユーザ装置ＵＥが別のユーザ装置（図示せず）と通信するか、又は通信ネットワーク内又はその外部のサーバーエンティティ（図示せず）と通信することを意味する。外部サーバーエンティティは、次いで、ターミナルみなすことができる。コールを開始する当事者は、発呼者と称され、一方、被呼当事者は、被呼者と称される。図１に示す通信ネットワークは、第１通信ネットワーク層の一例としてＧＰＲＳ／ＵＭＴＳネットワークを、そして第２通信ネットワーク層の一例としてインターネットプロトコル（ＩＰ）ベースネットワークを備えた２層通信ネットワークである。第１及び第２の通信ネットワーク層間には、少なくとも１つのインターフェイスＩ／Ｆが存在する。ここに示すケースでは、ポリシー制御ファンクション（ＰＣＦ）として知られたネットワークの機能的エンティティがインターフェイスを構成する。しかし、インターフェイスは、ネットワーク層間、即ちその各々のノード間に直接設けられてもよい。このような場合には、ここに示す例を参照すれば、インターフェイスは、ゲートウェイＧＰＲＳサポートノードＧＧＳＮと、コール状態制御ファンクションＣＳＣＦ（プロキシーＣＳＣＦとも称される）との間に設けられる。ＣＳＣＦは、次いで、例えば、ホーム加入者サーバーＨＳＳ等（図示せず）のようなＩＰネットワークの他の機能的エンティティ及び要素と通信するように構成される。
【０００６】
コールの際に、ユーザ装置は、パケットデータプロトコル（ＰＤＰ）コンテクストを経て通信する。ＰＤＰコンテクストに対して、ユーザ装置ＵＥと、ＧＰＲＳ／ＵＭＴＳネットワーク層の無線アクセスネットワークＲＡＮのＮｏｄｅ＿Ｂとの間に無線ベアラ（ＲＢ）が確立される。（Ｎｏｄｅ＿Ｂは、ＧＳＭネットワークのベースステーションに対応する。）Ｎｏｄｅ＿Ｂは、無線ネットワークコントローラＲＮＣ（ＧＳＭのベースステーションコントローラＢＳＣに対応する）の制御のもとにある。もちろん、無線アクセスネットワークは、一般に、複数のＮｏｄｅ＿Ｂ要素を備えている。しかしながら、図示簡略化のため、Ｎｏｄｅ＿Ｂは１つしか示されていない。このような無線アクセスネットワークの一例は、ＵＴＲＡＮ（ＵＭＴＳ地上ＲＡＮ）である。
【０００７】
無線アクセスネットワークＲＡＮは、アクセスネットワーク（非無線アクセスネットワーク（即ち布線／固定アクセスネットワーク）も考えられる）の一例として、コアネットワークＣＮに接続される。コアネットワークは、ターミナルＵＥの接続技術とは独立したＧＰＲＳ／ＵＭＴＳネットワークの一部分を表す。ここに示す例では、コアネットワークは、ＧＰＲＳ（汎用パケット無線サービス）コアネットワークである。このコアネットワークは、サービングＧＰＲＳサポートノード（ＳＧＳＮ）及びゲートウェイＧＰＲＳサポートノードＧＧＳＮを備え、これらノードは良く知られており、それ故、その詳細な説明は、省略する。
【０００８】
上記で簡単に述べた通信ネットワークと通信し／それを経て通信するターミナル及び／又はユーザ装置ＵＥ／ＭＳが、ＧＰＲＳと契約したと仮定する。
このようなＧＰＲＳ契約は、１つ以上のＰＤＰアドレス（パケットデータプロトコル）の契約を含む。各ＰＤＰアドレスは、ターミナル（ＵＥ及び／又はＭＳ）、ＳＧＳＮ及びＧＧＳＮにおける１つ以上のＰＤＰコンテクストにより記述される。各ＰＤＰコンテクストは、ＴＦＴ（トラフィック流テンプレート）に関連している。同じＰＤＰアドレスに関連したＰＤＰコンテクストが、それにＴＦＴが指定されない状態で常に存在するのは、せいぜい１つである、各ＰＤＰコンテクストは、２つのＰＤＰ状態（アクティブ／インアクティブ）の１つに独立して存在する。ＰＤＰ状態は、そのＰＤＰアドレス（及びＴＦＴ）に対してデータ転送がイネーブルされるかどうか指示する。同じＰＤＰアドレスに関連した全てのＰＤＰコンテクストがデアクチベートされた場合には、そのＰＤＰアドレスのデータ転送がディスエイブルされる。加入者の全てのＰＤＰコンテクストは、その加入者のＩＭＳＩ（国際移動加入者認識）に対して同じＭＭ（移動管理）コンテクストに関連している。
【０００９】
インアクティブ状態とは、加入者のあるＰＤＰアドレスのデータサービスを、アクチベートされないものとして特徴付ける。ＰＤＰコンテクストは、上記ＰＤＰアドレスに関連したＰＤＰ  ＰＤＵ（プロトコルデータユニット）を処理するためのルーティング又はマッピング情報を含まない。データを転送することはできない。
ターミナル（ＵＥ及び／又はＭＳ）は、ＰＤＰコンテクストアクチベーション手順を開始することによりインアクティブ状態からアクティブ状態への遷移を開始する。
【００１０】
アクティブな状態において、使用中のＰＤＰアドレスに対するＰＤＰコンテクストが、ターミナルＭＳ、ＳＧＳＮ及びＧＧＳＮにおいてアクチベートされる。ＰＤＰコンテクストは、ターミナル（ＭＳ）とＧＧＳＮとの間で上記特定のＰＤＰアドレスに対するＰＤＰ  ＰＤＵを転送するためのマッピング及びルーティング情報を含む。アクティブなＰＤＰ状態は、加入者の移動管理状態がスタンバイ、レディ、ＰＭＭアイドル又はＰＭＭ接続済みであるときだけ許される。Ｉｕインターフェイス無線アクセスベアラ（ＲＡＢ）は、アクティブなＰＤＰコンテクストに対して確立されてもよいし、されなくてもよい。
【００１１】
ターミナル（ＭＳ）に対するアクティブなＰＤＰコンテクストは、デアクチベーション手順が開始されたときにインアクティブな状態へ移行される。
ＧＰＲＳネットワークと契約されそしてそのネットワークと通信し／それを経て通信しているターミナルのコールのコール解除の際に、コールは終了されるがＰＤＰコンテクストは依然アクティブである状態が生じる。このような場合に、データパケットは、依然アクティブなＰＤＰコンテクストに関連したＰＤＰアドレスへ送信されるか又はそこから送信されるように依然試みられる。
【００１２】
加入者に対するサービスの料金は、加入者へ及び加入者から送信されるデータの量に基づくか又はＰＤＰコンテクストがアクティブである時間に基づくので、このような状態は、加入者が実際に利用及び／又は受信しなかったデータサービスに対して課金されるという点で加入者にとって望ましからぬものである。
又、ＧＰＲＳネットワークは、限定された数の加入者にサービスするようにイネーブルされるだけであり、即ちＰＤＰコンテクストがアクティブな状態にある限定された数のアドレスにデータを転送するだけであるから、このような状態は、通信ネットワークリソースの浪費に関しても望ましくない。というのは、他の加入者が、もはやコールに実際上参加していない加入者のアクティブなＰＤＰコンテクストにより阻止され得るからである。
【００１３】
【発明の開示】
従って、本発明の目的は、２層通信ネットワークにおいて接続又は接続の一部分を解除する方法であって、上述した欠点の発生を防止する方法を提供することである。
本発明によれば、この目的は、ターミナルへの通信チャンネルを確立するための第１通信ネットワーク層と、アプリケーション層の接続を確立するための第２通信ネットワーク層とを備えた２層通信ネットワークにおいて接続の少なくとも一部分を解除するための方法であって、上記第１及び第２通信ネットワーク層の一方において上記ターミナルに関連した上記接続の少なくとも上記一部分を解除すべきであると判断し、そして上記判断を、その判断がなされた上記一方の通信ネットワーク層から、上記第１及び第２の通信ネットワーク層間のインターフェイスを経て、他方の上記通信ネットワーク層へ転送するという段階を備えた方法により達成される。
【００１４】
本発明の更に別の開発によれば、
−  上記第１通信ネットワーク層は、ＧＰＲＳ／ＵＭＴＳシステムであり、
−  上記第２通信ネットワーク層は、ＩＰマルチメディアサブシステムであり、
−  上記ターミナルは、移動ステーション（ＭＳ）或いはユーザ装置（ＵＥ）であり、
−  上記第１及び第２の通信ネットワーク層間のインターフェイスは、ネットワークの機能的エンティティによって構成され、
−  上記ネットワークの機能的エンティティは、ポリシー制御ファンクション（ＰＣＦ）であり、
−  上記接続は、セッションであり、
−  上記方法は、更に、セッションにおいて通信する上記ターミナルへの確立されたセッションを解除し、そして上記セッションに使用される通信チャンネルを変更するという段階を備え、
−  上記変更は、デアクチベーションであり、
−  上記変更は、上記接続を定義する１組のパラメータのうち少なくとも１つのパラメータに作用し、
−  上記少なくとも１つのパラメータは、サービスクオリティパラメータ「保証されたビットレート」であり、そしてこの保証されたビットレートは、ゼロにセットされるように変更され、
−  上記変更は、上記通信チャンネルに対する課金に作用し、
−  上記通信チャンネルは、ＰＤＰコンテクストを使用することにより表わされ、
−  上記接続は、セッションであり、
−  上記方法は、更に、上記通信チャンネルを解除又は変更し、そして上記通信チャンネルを経て搬送される上記セッションを変更するという段階を備え、
−  上記変更は、解除であり、
−  上記変更は、上記セッションの課金に作用し、
−  上記通信チャンネルは、ＰＤＰコンテクストを使用することにより表わされ、
−  上記方法は、更に、上記ターミナルにより、上記２層通信ネットワークに、上記ターミナルを上記セッションから解除するよう要求する段階を備え、そして解除に関する上記判断は、上記第２通信ネットワーク層により上記ターミナルからの上記解除要求に基づいて行われ、そして上記第２通信ネットワーク層から上記第１通信ネットワーク層へ転送され、
−  上記方法は、更に、上記第１通信ネットワーク層により上記ターミナルのインアクティブな状態を監視する段階を備え、そしてインアクティブな状態を検出した場合に、解除に関する上記判断が、上記第１通信ネットワーク層により行われ、そして上記第１通信ネットワーク層から上記第２通信ネットワーク層へ転送され、
−  上記インアクティブな状態は、無線接続の切断により表わされる。
【００１５】
又、本発明は、コール中に通信するターミナル(UE)への通信チャンネルを確立するための第１通信ネットワーク層と、上記コールに対するアプリケーション層接続を確立するための第２通信ネットワーク層とを備えた２層通信ネットワークとの接続を介して通信するターミナル(UE)より成る通信システムであって、上述した接続を解除する方法の段階を実行するように構成された通信システムにも係る。
【００１６】
従って、本発明によれば、
１）アプリケーション層においてコールを解除し、コール解除を送信層に指示し、この指示により送信層において特定のファンクションを遂行する（例えば、通信チャンネルを解除するか、又はこの指示を課金情報に含ませる）。
２）通信チャンネル（即ちＰＤＰコンテクスト）又は通信チャンネルの一部分（即ちＲＡＢ）を送信層において解除し、それをアプリケーション層に指示し、そしてアプリケーション層においてコールを解除するということをイネーブルする。（接続とは、コール又はＰＤＰコンテクスト又はＰＤＰコンテクストの一部分（即ちＲＡＢ）のいずれかを意味するものとすることを明記されたい。）
【００１７】
従って、本発明は、上記通信ネットワーク層の各々が接続を解除する必要があることを知り、そしてもはやアクティブでないかアクティブになり得ない接続に対してネットワーク容量を浪費しないようにそのネットワーク層に関連した適当な手段を開始することがイネーブルされる。
更に、ターミナルは、ＰＤＰコンテクストのデアクチベーションの開始を取り扱うための負担が軽減される。というのは、この義務は、今や、ネットワークへ移管されたからである。
【００１８】
更に、ＰＤＰコンテクストデアクチベーションを開始するネットワークのために、ＰＤＰコンテクストは、コール以外の目的に使用されないよう確保される。
従って、例えば、ターミナルがカバレージの外にあり及び／又は送信クオリティ（サービスクオリティ）が所定スレッシュホールドレベルより低い場合には、ネットワークが例えばＩＰマルチメディアコールを解除することが、ターミナルがそれを行う位置にあるかどうかに関わらず、イネーブルされる。
【００１９】
コールは、所定時間周期の後にネットワークにより自動的に解除できるので、加入者は、依然としてアクティブなＰＤＰコンテクストにより指定された自分のＰＤＰアドレスへ無駄にルーティングされるデータパケットに対して課金されることがなくなる。
更に、ターミナルが、コール以外のトラフィックに対するＰＤＰコンテクストを悪用しようと試みたときには、本発明によりＰＤＰコンテクストを変更／デアクチベーションすることにより、本発明が実施されたときにこのような悪用が防止され又は少なくとも検出される。
【００２０】
【発明を実施するための最良の形態】
本発明の上記及び他の目的並びに効果は、添付図面を参照した好ましい実施形態の以下の詳細な説明から充分に明らかとなろう。
以下、添付図面を参照して、本発明を詳細に説明する。
図２及び３は、各々、個々のネットワーク部分及び／又はネットワーク要素間に送信される信号のシグナリング筋書きを示す。信号の送信方向を表わす矢印の番号は、時間経過に伴う信号の連続的な送信及び／又はプロセスの実行を表わしている。
【００２１】
ターミナル（図１のＵＥ）は、移動ステーションＭＳとして示され、無線アクセスネットワークＲＡＮは、ＵＴＲＡＮを無線アクセスネットワークの一例として使用することにより表わされ、ＧＰＲＳネットワーク要素ＳＧＳＮ及びＧＧＳＮは個々に示され、（ＧＰＲＳ／ＵＭＴＳ）第１層通信ネットワークと（ＩＰＴ）第２層通信ネットワークとの間のインターフェイスは、ＰＣＦ機能的要素（ポリシー制御ファンクション）により表わされる。２層通信ネットワークのＩＰＴ層（第２層）は、本発明に関連して主として含まれるネットワーク機能的要素としてプロキシーＣＳＣＦにより示されている（従って、ＩＰＴ層の他のネットワーク要素は、図示省略されている）。
【００２２】
［第１実施形態］
本発明の第１実施形態のシグナリング筋書きが図２に示されている。
図２は、ネットワークにより開始されるＰＤＰコンテクストデアクチベーション又はＰＤＰコンテクストの変更を示す。
簡単に述べると、ターミナルＭＳは、コールの解除を開始する。コールの解除は、プロキシーＣＳＣＦに通知され、これは、対応する指示をＰＣＦに送信する。ＰＣＦは、その指示即ち判断をＧＧＳＮへ送信する。ＧＧＳＮは、それに応答して、以前の判断を変更し、即ちＰＤＰコンテクストデアクチベーション又はＰＤＰコンテクスト変更を開始するか、或いはＰＣＦから指示を受けた際にＰＤＰコンテクストの変更を実行する。ＰＤＰコンテクストの変更は、料金に影響を及ぼす。その後、ＧＧＳＮは、ＰＤＰコンテクストに関連した状態情報を除去するための要求をＰＣＦに送信する。
【００２３】
従って、コール解除の際には、ネットワーク層間通信が含まれ、これは、通信ネットワーク層間のインターフェイスを経て行われる。
それに伴うシグナリングの個々のステップを、図２を参照して以下に述べる。ステップ#１では、ＭＳがターミナルとして「バイ(Bye)」メッセージを送信する。この「バイ」メッセージは、プロキシーＣＳＣＦへ送信され、これは、そのメッセージを被呼者（図示せず）に向けて転送し、ＭＳの意図する通信相手ターミナルにコールを終了する旨通知する。
【００２４】
ステップ#２において、プロキシーＣＳＣＦは、「解除」メッセージをＰＣＦに送信する。ＰＣＦ（ポリシー制御ファンクション）は、通信ネットワークの２つの層間のインターフェイスを構成する。このファンクションは、ユーザが、約束のトラフィック特性に違反しないよう保証する。従って、ポリシー制御ファンクションのタスクは、利用可能なネットワークリソースに対して競合している１組のネットワークユーザにわたってそれらのリソースを規定のやり方で分割し、従って、接続受け入れポリシーを遂行するように働くことである。
ステップ#３では、ＰＣＦは、「解除確認」メッセージをプロキシーＣＳＣＦに送信することにより解除メッセージの受け入れを確認する。
【００２５】
ステップ#４では、ＰＣＦは、「判断」メッセージ（要求ＩＤを含む）をＧＧＳＮへ送信して、以前の判断を変更し、即ちコール解除を指示する。換言すれば、ＰＤＰコンテクストが進行中コールに対してアクティブな状態にあった（ＰＤＰコンテクストをアクティブな状態にセットする以前の判断に対応する）ときは、ＰＣＦにより行われる判断（ステップ#４）は、そのコールに関連したＰＤＰコンテクストを変更すべきか又はインアクティブにセットすべき（デアクチベートすべき）であると決定することである。
ステップ#５では、ＧＧＳＮは、「状態レポート」メッセージ（要求ＩＤを含む）をＰＣＦに送信することにより、判断を首尾よく完了したことをＰＣＦにレポートし、即ち判断を適当なアクションに変換することをレポートする。
【００２６】
その後のステップ#６ないし#９では、ＧＧＳＮが開始したＰＤＰコンテクストデアクチベーション又は変更が実行される。前者のケースは、図２に示されている。ＰＤＰコンテクストデアクチベーション及び変更は、既に知られており、従って、それらのステップは、詳細に説明しない。ＰＤＰコンテクストデアクチベーション又は変更とは別に、ＧＧＳＮは、ＰＤＰコンテクストの変更を行うことができる。この変更は、ＰＤＰコンテクストの料金に影響し得る。実行されるファンクションは、ネットワークオペレータ特有のものである。
【００２７】
ステップ#１０では、ＧＧＳＮは、その後、「要求状態削除」メッセージ（要求ＩＤを含む）をＰＣＦに送信して、ＰＣＦから要求状態を除去する。
ステップ#１０に続いて、無線アクセスベアラ解除手順がステップ#１１において実行される。
ステップ#４（判断）、#５（状態レポート）及び#１０（要求状態削除）において送信されるメッセージは、ＣＯＰＳメッセージであることに注意されたい。このＣＯＰＳは、ＰＤＰ（ポリシー判断ポイント）からポリシー情報を要求するためにＰＥＰ（ポリシー施行ポイント）に対してＩＥＴＦ（インターネットエンジニアリングタスクフォース）で指定されたプロトコルである。しかしながら、これらのメッセージがＣＯＰＳメッセージであることは要求されない。
【００２８】
又、ステップ#２ないし#１１は、他の通信エンドポイント（図示せず）がコール解除を開始する場合には同じであることにも注意されたい。
シグナリングステップの上記シーケンスとは別に、ＰＣＦが、プロキシーＣＳＣＦからコール解除指示を受け取ったときに要求状態情報を予め除去することも考えられる。この場合には、ＧＧＳＮは、「要求状態削除」メッセージ（ステップ#１０）を送信しなくてもよく、従って、シグナリングの量が減少される。
【００２９】
［第２実施形態］
第２実施形態によれば、ＩＰマルチメディアコールのようなコールは、ターミナルＭＳがそれを行うことが妨げられる場合にネットワークにより解除される。例えば、ＭＳが、そのサービングＮｏｄｅ＿Ｂのカバレージエリアの外にいて、ハンドオーバーが成功しなかった場合である。
一般に、無線接続が切断するか、又はＭＳのインアクティブの状態が上記第１通信ネットワーク層により監視されそして検出されたときに、ＲＡＢが解除される。
【００３０】
簡単に述べると、第２の実施形態によれば、無線ネットワークコントローラＲＮＣが、無線アクセスベアラ（ＲＡＢ）解除手順を開始する。次いで、ＲＡＢが解除される。ＳＧＳＮは、当該ＰＤＰコンテクストを変更又はデアクチベートする（一種の変更として）。ＧＧＳＮは、ＰＤＰコンテクストの変更／デアクチベーションについてＰＣＦに通知する。ＰＣＦは、当該コールを解除又は変更するための指示をプロキシーＣＳＣＦに送信する。コールを解除するために、プロキシーＣＳＣＦは、メッセージ（例えば、ＳＩＰバイ・メッセージ（ＳＩＰ＝セッション開始プロトコル））を、ターミナルである（これは任意である）移動ステーションＭＳへ送信すると共に、他の通信エンドポイントへも送信する。プロキシーＣＳＣＦは、このメッセージに対する確認を受け取る。
【００３１】
従って、ＲＡＢ解除の際には、ネットワーク層間通信が含まれ、これは、通信ネットワーク層間のインターフェイスを経て行われる。
関連シグナリングの個々のステップを、図３を参照して以下に説明する。
無線接続におけるある時間の切断の後、又はある時間のインアクティビティの後に、例えば、ターミナルＭＳがカバレージエリアを出た場合に、ネットワークがコールを解除又は変更するようにイネーブルされる。このようにネットワークで開始されるコール解除又は変更は、コールの課金が時間に基づいて行われる場合に特に重要である。
【００３２】
図３は、ターミナルＭＳのインアクティビティが検出された際にネットワークにより開始されるコール解除シグナリング筋書きを示す。
ステップ#１において、無線ネットワークコントローラ（ＲＮＣ）は、ＭＳへの無線接続が切断されたか又はターミナルＭＳがインアクティブになったことを検出し及び／又は通知する。この状態が検出されると、ＲＮＣは、「ＲＡＢ解除要求」メッセージをＳＧＳＮへ送信する。
次のステップ#２において、無線アクセスベアラの解除が行われる。
【００３３】
その後、ステップ#３において、ＳＧＳＮは、「ＰＤＰコンテクスト更新要求」（以下に述べる変更の場合）又は「ＰＤＰコンテクスト削除要求」（デアクチベーションの場合）をＧＧＳＮに送信することにより、加入者の当該ＰＤＰコンテクストを変更及び／又はデアクチベートする。後者のケースが、図３に示されている。
ステップ#４に示すように、ＧＧＳＮは、「要求状態削除」メッセージ（要求ＩＤを含む）をＰＣＦへ送信し、ＰＣＦから要求状態を除去する。
【００３４】
それに応答して、ＰＣＦは、ステップ#５において、「解除」メッセージをプロキシーＣＳＣＦへ送信し、コール解除又は変更を要求する。
ステップ#６に示すように、プロキシーＣＳＣＦは、「解除確認」メッセージをＰＣＦへ送信することによりメッセージの受信を確認する。
ステップ#７において、プロキシーＣＳＣＦは、（任意に）例えば、そのときカバレージから外れているターミナルに「バイ(Bye)」メッセージを送信し（ターミナルは、カバレージから外れている場合には、必ずしもこのメッセージを受信しないので、このメッセージは、任意に送信される）、そして図示されたターミナルＭＳの通信相手（図示せず）に「バイ」メッセージを送信する。或いは又、プロキシーＣＳＣＦは、コールを変更することもできる（図示せず）。この変更は、コールの料金に影響する。
【００３５】
ステップ#８ないし#１０の間に、ＰＤＰコンテクストデアクチベーション手順（良く知られた）が実行される。
ステップ#１１において、ターミナルＭＳ（例えば、カバレージから完全に外れておらず、あるシグナリングが依然考えられる場合に、任意に）及び他のエンドポイント（図示せず）は、適当な確認メッセージ（例えば、「２００  ＯＫ」メッセージ）を送信することによりコール解除を確認することができる。
図３において、ステップ#４で送信されるメッセージ（要求状態削除）は、ＣＯＰＳメッセージである。
【００３６】
両実施形態は、コールに対する当該ＰＤＰコンテクストをデアクチベーションすることに関して説明した。しかしながら、ＰＤＰコンテクストのデアクチベーションは、ＰＤＰコンテクストの変更の境界ケースを表わしている。従って、デアクチベーションに代わって、ＰＤＰコンテクストの変更も考えられる。
このようなＰＤＰコンテクストの変更は、ＲＡＢ解除（図３を参照した）の後及びＲＡＢ解除（図２を参照した）の前に実行される。従って、ＰＤＰコンテクストは、変更中にも保持されるが、（例えば）ＱｏＳパラメータ保証のビットレートは、本発明に関連して考えられる変更の際にゼロにセットされる。
【００３７】
このような場合に、（第２の実施形態では）ＧＧＳＮは、「要求」メッセージ（要求ＩＤ及びネゴシエーションされたＱｏＳをパラメータとして含む）をＰＣＦへ送信しなければならない。ゼロの（要求された）保証ビットレートで要求メッセージを受信した後、ＰＣＦは、「解除」メッセージをプロキシーＣＳＣＦへ送信しなければならない。しかしながら、第１実施形態（図２）に関しては、ＰＣＦは、デアクチベーションではなく、ＰＤＰコンテクストを変更する場合に、保証ビットレートがゼロにセットされるようにＧＧＳＮが当該ＰＤＰコンテクストを変更するという内容を有する「判断」メッセージを送信する。
【００３８】
しかし、図２及び３に各々示された当該ＰＤＰコンテクストのデアクチベーションは、ネットワークリソースに対して最適なものである。即ち、ＰＤＰコンテクストは、コールに対してのみ使用されるので、コールを解除した後に、ＰＤＰコンテクストは、もはや必要とされず、それ故、何ら問題なくデアクチベートすることができる。
更に、図２を参照すれば、ＰＤＰコンテクストデアクチベーションは、直ちに生じ得る。或いは又、ＧＧＳＮは、「判断」メッセージを受け取ったときにタイマーをセットし、そしてタイマーが時間切れした後にＰＤＰコンテクストデアクチベーションを開始してもよい。
【００３９】
更に、図３を参照すれば、コール解除は、直ちに生じ得る。或いは又、ＣＳＣＦは、解除メッセージを受け取ったときにタイマーをセットし、そしてタイマーが時間切れした後にコール解除を開始してもよい。
以上の説明において、ネットワーク層間シグナリングは、インターフェイスネットワーク要素としてのＰＣＦを経て行われると説明された。しかしながら、両実施形態において、ＧＧＳＮとプロキシーＣＳＣＦとの間の通信は、ＰＣＦネットワーク要素を伴わずに行うことができる。ＰＣＦは、ＣＳＣＦに配置されてもよいし又はＧＧＳＮに配置されてもよい。しかしながら、この場合には、ＧＧＳＮと（プロキシー）ＣＳＣＦとの間の新たなインターフェイスを定義しなければならない。
【００４０】
従って、コール又はＰＤＰコンテクストのいずれかがネットワーク層によって解除され、この解除が他のネットワーク層に通知される。コールの解除は、コールを搬送するのに使用されるＰＤＰコンテクストに影響する。ＰＤＰコンテクストの解除は、ＰＤＰコンテクストを経て搬送されるコールに影響する。ここで使用した「接続」という表現は、コール又はＰＤＰコンテクスト（或いはＰＤＰコンテクストの一部分、即ち無線アクセスベアラ）を記述するのに選択されたが、「通信チャンネル」という用語は、ＰＤＰコンテクストを表わす。
【００４１】
従って、上述したように、本発明は、ターミナルへの通信チャンネルを確立するための第１通信ネットワーク層と、アプリケーション層の接続を確立するための第２通信ネットワーク層とを備えた２層通信ネットワークにおいて接続の少なくとも一部分を解除するための方法であって、上記第１及び第２通信ネットワーク層の一方において上記ターミナルに関連した上記接続の少なくとも上記一部分を解除すべきであると判断し、そして上記判断を、その判断がなされた上記一方の通信ネットワーク層から、第１及び第２の通信ネットワーク層間のインターフェイスを経て、他方の通信ネットワーク層へ転送するという段階を備えた方法を提案する。従って、各通信ネットワーク層は、接続を解除する必要があることを知り、そしてもはやアクティブでない接続コールに対してネットワーク容量を浪費しないように適当な手段を開始することがイネーブルされる。又、本発明は、それに対応して動作される通信ネットワークにも係る。
【００４２】
本発明の好ましい実施形態を以上に説明したが、本発明の精神及び範囲から逸脱せずに多数の変更がなされ得ることが理解されよう。このような変更は、全て、特許請求の範囲内に包含されるものとする。
【図面の簡単な説明】
【図１】  ２層通信ネットワークの一例として、ＧＰＲＳ／ＵＭＴＳ層及びＩＰＴ層の通信ネットワークを示すブロック回路図である。
【図２】  本発明の第１実施形態のシグナリングの筋書きを示す図である。
【図３】  本発明の第２実施形態のシグナリングの筋書きを示す図である。
【図１】
0004406204.tif 000002
【図２】
0004406204.tif 000003
【図３】
0004406204.tif 000004